(57)【要約】  無線通信に関するシステムおよび技術を記載する。記載されている技術は、本開示の一態様では、無線通信技術が、第１のチャネルおよび第２のチャネルを含む無線通信チャネルをモニタして、モニタ出力を生成する段階と、第１のチャネルの第１の送信期間を決定する段階と、第２のチャネルの第２の送信期間を決定する段階と、第１の送信期間に基づいて、第１のチャネルで第１のパケットを送信して、１以上の無線通信デバイスに、第１のパケットの受信に基づいて第１のチャネルおよび第２のチャネルのための送信保護期間を設定させる段階と、第２の送信期間に基づいて、第２のチャネルで第２のパケットを送信する段階と、第１の送信期間の最後の後に、１以上の承認をモニタする段階とを備える。第２の送信期間の最後は、第１の送信期間の最後に合わせることができる。【選択図】図１
2013511221.tif 000002
【特許請求の範囲】
【請求項１】
第１のチャネルおよび第２のチャネルを含む無線通信チャネルをモニタして、モニタ出力を生成する段階と、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定する段階と、
前記第１のＩＦＳ期間および前記第２のＩＦＳ期間を前記モニタ出力に適用して、前記第１の送信期間の最後に最後が合わせられた前記第２のチャネルの第２の送信期間を決定する段階と、
前記第１の送信期間に基づいて、前記第１のチャネルで第１のパケットを送信して、１以上の無線通信デバイスに、前記第１のパケットの受信に基づいて前記第１のチャネルおよび前記第２のチャネルのための送信保護期間を設定させる段階と、
前記第２の送信期間に基づいて、前記第２のチャネルで第２のパケットを送信する段階と、
前記第１の送信期間の前記最後の後に、１以上の承認をモニタする段階と
を備える方法。
【請求項２】
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記無線通信チャネルをモニタする段階は、
前記第１のＩＦＳ期間および前記第２のＩＦＳ期間に関する前記無線通信チャネル上の無線トラフィックをモニタする段階を含む請求項１に記載の方法。
【請求項３】
前記第１の送信期間を決定する段階は、
前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する段階を含む請求項２に記載の方法。
【請求項４】
前記第２の送信期間を決定する段階は、
前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する段階を含む請求項２に記載の方法。
【請求項５】
前記第１のパケットを送信する段階は、
第１の無線通信規格に基づく通信用に設定されている第１の無線通信デバイスに送信を行う段階を含み、
前記第２のパケットを送信する段階は、
第２の無線通信規格に基づく通信用に設定されている第２の無線通信デバイスに送信を行う段階を含み、前記第１の無線通信規格および前記第２の無線通信規格のそれぞれで前記第１のチャネルが利用される請求項１に記載の方法。
【請求項６】
前記第１のパケットは、前記第１のパケットの長さを示すフィールドを含み、
前記方法はさらに、前記フィールドを、ダウンリンクの直交周波数分割多重接続送信を示すよう設定する段階を備える請求項５に記載の方法。
【請求項７】
前記第１のパケットを送信する段階は、
無線通信デバイスに送信する段階を含み、
前記第２のパケットを送信する段階は、
前記無線通信デバイスに送信する段階を含み、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている請求項１に記載の方法。
【請求項８】
第１のチャネルおよび第２のチャネルを含む無線通信チャネルにアクセスする回路と、
プロセッサエレクトロニクスと
を備え、
前記プロセッサエレクトロニクスは、
前記無線通信チャネルをモニタして、モニタ出力を生成して、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定して、
前記第１のＩＦＳ期間および前記第２のＩＦＳ期間を前記モニタ出力に適用して、前記第１の送信期間の最後に最後が合わせられた前記第２のチャネルの第２の送信期間を決定して、
前記第１の送信期間に基づいて、前記第１のチャネルでの第１のパケットの送信を制御して、１以上の無線通信デバイスに、前記第１のパケットの受信に基づいて前記第１のチャネルおよび前記第２のチャネルのための送信保護期間を設定させ、
前記第２の送信期間に基づいて、前記第２のチャネルでの第２のパケットの送信を制御して、
前記第１の送信期間の前記最後の後に、１以上の承認をモニタする、装置。
【請求項９】
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記プロセッサエレクトロニクスは、
前記第１のＩＦＳ期間および前記第２のＩＦＳ期間に関する前記無線通信チャネル上の無線トラフィックをモニタする請求項８に記載の装置。
【請求項１０】
前記プロセッサエレクトロニクスは、前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する請求項９に記載の装置。
【請求項１１】
前記プロセッサエレクトロニクスは、前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する請求項９に記載の装置。
【請求項１２】
前記第１のパケットは、第１の無線通信規格に基づく通信用に設定されている第１の無線通信デバイスに送信され、
前記第２のパケットは、第２の無線通信規格に基づく通信用に設定されている第２の無線通信デバイスに送信され、前記第１の無線通信規格および前記第２の無線通信規格のそれぞれで前記第１のチャネルが利用される請求項８に記載の装置。
【請求項１３】
前記第１のパケットは、前記第１のパケットの長さを示すフィールドを含み、
前記プロセッサエレクトロニクスは、前記フィールドを、ダウンリンクの直交周波数分割多重接続送信を示すよう設定する請求項１２に記載の装置。
【請求項１４】
前記第１のパケットと前記第２のパケットとは同じ無線通信デバイスに送信され、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている請求項８に記載の装置。
【請求項１５】
第１のチャネルおよび第２のチャネルを含む無線通信チャネルで送受信する回路と、
プロセッサエレクトロニクスと
を備え、
前記プロセッサエレクトロニクスは、
前記無線通信チャネルをモニタして、モニタ出力を生成して、
第１のフレーム間空間（ＩＦＳ）期間と、前記第１のＩＦＳ期間より短い第２のＩＦＳ期間とを前記モニタ出力に適用して、前記第１のチャネルの第１の送信期間を決定して、
前記第１のＩＦＳ期間および前記第２のＩＦＳ期間を前記モニタ出力に適用して、前記第１の送信期間の最後に最後が合わせられた前記第２のチャネルの第２の送信期間を決定して、
前記第１の送信期間に基づいて、前記第１のチャネルでの第１のパケットの送信を制御して、１以上の無線通信デバイスに、前記第１のパケットの受信に基づいて前記第１のチャネルおよび前記第２のチャネルのための送信保護期間を設定させ、
前記第２の送信期間に基づいて、前記第２のチャネルでの第２のパケットの送信を制御して、
前記第１の送信期間の前記最後の後に、１以上の承認をモニタする、システム。
【請求項１６】
前記第１のＩＦＳ期間は、調停ＩＦＳ（ＡＩＦＳ）期間であり、
前記第２のＩＦＳ期間は、ポイント調整機能ＩＦＳ（ＰＩＦＳ）期間であり、
前記プロセッサエレクトロニクスは、
前記第１のＩＦＳ期間および前記第２のＩＦＳ期間に関する前記無線通信チャネル上の無線トラフィックをモニタする請求項１５に記載のシステム。
【請求項１７】
前記プロセッサエレクトロニクスは、前記ＡＩＦＳ期間に基づく期間中に、前記第１のチャネル上のトラフィックの存在を示す前記モニタ出力に呼応して、前記ＰＩＦＳ期間の最後に基づいて前記第１の送信期間を決定する請求項１６に記載のシステム。
【請求項１８】
前記プロセッサエレクトロニクスは、前記ＡＩＦＳ期間に基づく期間中に、前記第２のチャネル上のトラフィックの存在を示す前記モニタ出力に呼応して、前記ＰＩＦＳ期間の最後に基づいて前記第２の送信期間を決定する請求項１６に記載のシステム。
【請求項１９】
前記第１のパケットは、第１の無線通信規格に基づく通信用に設定されている第１の無線通信デバイスに送信され、
前記第２のパケットは、第２の無線通信規格に基づく通信用に設定されている第２の無線通信デバイスに送信され、前記第１の無線通信規格および前記第２の無線通信規格のそれぞれで前記第１のチャネルが利用される請求項１５に記載のシステム。
【請求項２０】
前記第１のパケットは、前記第１のパケットの長さを示すフィールドを含み、
前記プロセッサエレクトロニクスは、前記フィールドを、ダウンリンクの直交周波数分割多重接続送信を示すよう設定する請求項１９に記載のシステム。
【請求項２１】
前記第１のパケットと前記第２のパケットとは同じ無線通信デバイスに送信され、
前記無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている請求項１５に記載のシステム。
【発明の詳細な説明】
【技術分野】
【０００１】
本開示は、無線ローカルエリアネットワーク（ＷＬＡＮ）等の無線通信システムに係る。
【背景技術】
【０００２】
本願は、２０１０年４月３０日提出の米国仮特許出願第６１／３２９，９０５号明細書「１１ａｃマルチチャネルサポート」の優先権の恩恵を請求しており、２０１０年３月２２日提出の米国仮特許出願第６１／３１６，２６８号明細書「１１ａｃマルチチャネルサポート」の優先権の恩恵を請求しており、２０１０年３月９日提出の米国仮特許出願第６１／３１２，１３５号明細書「１１ａｃマルチチャネルサポート」の優先権の恩恵を請求しており、２００９年１１月１３日提出の米国仮特許出願第６１／２６１，１０８号明細書「１１ａｃ帯域のサポート」の優先権の恩恵を請求しており、これら全ての出願全体を参照としてここに組み込む。
【０００３】
無線通信システムは、１以上の無線チャネル上で通信する複数の無線通信デバイスを含みうる。インフラストラクチャモードで動作するとき、アクセスポイント（ＡＰ）と称される無線通信デバイスは、インターネット等のネットワークとの接続を、クライアントステーションまたはアクセス端末（ＡＴ）等の他の無線通信デバイスに提供する。様々な無線通信デバイスの例には、モバイルフォン、スマートフォン、無線ルータ、および無線ハブが含まれる。一部のケースでは、無線通信エレクトロニクスを、ラップトップ、情報携帯端末、およびコンピュータといったデータ処理機器と統合することもできる。
【０００４】
ＷＬＡＮ等の無線通信システムは、直交周波数分割多重化（ＯＦＤＭ）等の１以上の無線通信技術を利用することができる。ＯＦＤＭに基づく無線通信システムでは、データストリームを複数のデータサブストリームに分割する。これらデータサブストリームは、それぞれ異なるＯＦＤＭサブキャリア（トーンまたは周波数トーンと称されることがある）に乗せられて送信される。ＩＥＥＥ（アイトリプルイー）無線通信規格（例えばＩＥＥＥ８０２．１１ａ、ＩＥＥＥ８０２．１１ｎ、またはＩＥＥＥ８０２．１１ａｃ）で定義されているようなＷＬＡＮは、ＯＦＤＭを利用して信号を送受信することができる。
【０００５】
ＷＬＡＮの無線通信デバイスは、媒体アクセス制御（ＭＡＣ）および物理（ＰＨＹ）層のために１以上のプロトコルを利用することができる。例えば無線通信デバイスは、ＭＡＣ層に搬送波感知多重アクセス/衝突回避（ＣＡ）方式（ＣＳＭＡ）を利用して、ＰＨＹ層にＯＦＤＭを利用することができる。
【０００６】
一部の無線通信システムには、各無線通信デバイスが単一のアンテナを利用する、単一入力単一出力（ＳＩＳＯ）通信法を利用するものもある。また他の無線通信システムのなかには、多入力多出力（ＭＩＭＯ）通信法を利用するものもあり、この方法では、例えば１つの無線通信デバイスが、複数の送信アンテナおよび複数の受信アンテナを利用する。ＭＩＭＯに基づく無線通信デバイスは、ＯＦＤＭ信号のトーンそれぞれで複数のアンテナを介して複数の空間ストリームを送受信することができる。
【発明の概要】
【０００７】
本開示は、無線通信システムおよび技術に係る。
【０００８】
本開示の一態様では、無線通信技術が、第１のチャネルおよび第２のチャネルを含む無線通信チャネルをモニタして、モニタ出力を生成する段階と、モニタ出力に基づいて、第１のチャネルの第１の送信期間を決定する段階と、モニタ出力に基づいて、第２のチャネルの第２の送信期間を決定する段階と、第１の送信期間に基づいて、第１のチャネルに第１のパケットを送信して、１以上の無線通信デバイスに、第１のパケットの受信に基づいて第１のチャネルおよび第２のチャネルのための送信保護期間を設定させる段階と、第２の送信期間に基づいて、第２のチャネルで第２のパケットを送信する段階と、第１の送信期間の最後の後に、１以上の承認をモニタする段階とを備える。第１のチャネルの第１の送信期間を決定する段階には、第１のパケット間期間と、第１のパケット間期間より短い第２のパケット間期間とをモニタ出力に適用することが含まれる。第２のチャネルの第２の送信期間を決定する段階には、第１のパケット間期間、第２のパケット間期間、または、これらの組み合わせをモニタ出力に適用することが含まれる。第２の送信期間の最後は、第１の送信期間の最後と合わせられていてもよい。
【０００９】
本開示の一態様では、無線通信技術が、第１のチャネルおよび第２のチャネルを含む無線通信チャネルをモニタして、モニタ出力を生成する段階と、第１のフレーム間空間（ＩＦＳ）期間と、第１のＩＦＳ期間より短い第２のＩＦＳ期間とをモニタ出力に適用して、第１のチャネルの第１の送信期間を決定する段階と、第１のＩＦＳ期間および第２のＩＦＳ期間をモニタ出力に適用して、第２のチャネルの第２の送信期間を決定する段階と、第１の送信期間に基づいて、第１のチャネルで第１のパケットを送信して、１以上の無線通信デバイスに、第１のパケットの受信に基づいて第１のチャネルおよび第２のチャネルのための送信保護期間を設定させる段階と、第２の送信期間に基づいて、第２のチャネルで第２のパケットを送信する段階と、第１の送信期間の最後の後に、１以上の承認をモニタする段階とを備える。第２の送信期間の最後は、第１の送信期間の最後と合わせられていてもよい。
【００１０】
記載したシステムおよび技術は、電子回路、コンピュータハードウェア、ファームウェア、ソフトウェア、またはこれらの組み合わせ（例えば、本明細書およびその構造上の均等物に開示されている構造上の手段等）で実装可能である。これには、１以上のデータ処理装置（例えば、プログラム可能プロセッサを含む信号処理デバイス）に、記載した動作を実行させることのできるプログラムを具現化する少なくとも１つのコンピュータ可読媒体が含まれてよい。従ってプログラムは、開示された方法、システム、または装置により実装することができ、装置は、開示されたシステム、コンピュータ可読媒体、または方法により実装することができる。同様に、方法は、開示されたシステム、コンピュータ可読媒体、または装置により実装することができ、システムは、開示された方法、コンピュータ可読媒体、または装置により実装することができる。
【００１１】
例えば、１以上の開示されている実施形態を、特定用途向けのデータ処理装置（例えば、無線アクセスポイント、遠隔環境モニタ、ルータ、スイッチ、コンピュータシステムコンポーネント、媒体アクセスユニット等の無線通信デバイス）、モバイルデータ処理装置（例えば、無線クライアント、セルラー電話機、スマートフォン、情報携帯端末（ＰＤＡ）、モバイルコンピュータ、デジタルカメラ）、コンピュータ等の汎用データ処理装置、またはこれらの組み合わせを含むがこれらに限定はされない様々なシステムおよび装置で実装することができる。
【００１２】
システムおよび装置は、プロセッサエレクトロニクスを備え、プロセッサエレクトロニクスは、第１のチャネルおよび第２のチャネルを含む無線通信チャネルをモニタして、モニタ出力を生成して、第１のフレーム間空間（ＩＦＳ）期間と、第１のＩＦＳ期間より短い第２のＩＦＳ期間とをモニタ出力に適用して、第１のチャネルの第１の送信期間を決定して、第１のＩＦＳ期間および第２のＩＦＳ期間をモニタ出力に適用して、第２のチャネルの第２の送信期間を決定して、第１の送信期間に基づいて、第１のチャネルへの第１のパケットの送信を制御して、１以上の無線通信デバイスに、第１のパケットの受信に基づいて第１のチャネルおよび第２のチャネルのための送信保護期間を設定させ、第２の送信期間に基づいて、第２のチャネルへの第２のパケットの送信を制御して、第１の送信期間の最後の後に、１以上の承認をモニタする。
【００１３】
これらおよびその他の実装例には、以下の特徴の１以上が含まれてよい。実装例には、無線通信チャネル上に送受信するための回路が含まれてよい。実装例には、アナログデジタルコンバータからサンプルを受信する回路、および、デジタルアナログコンバータにデータを送信する回路が含まれてよい、無線通信チャネルにアクセスする回路が含まれてよい。一部の実装例では、第１の期間が、調停ＩＦＳ（ＡＩＦＳ）期間である。一部の実装例では、第２の期間が、ポイント調整機能ＩＦＳ（ＰＩＦＳ）期間である。一部の実装例では、プロセッサエレクトロニクスは、第１の期間および第２の期間に対して、無線通信チャネル上で無線トラフィックをモニタする。プロセッサエレクトロニクスは、ＡＩＦＳ期間に基づく期間中に、第１のチャネル上のトラフィックの存在を示すモニタ出力に呼応して、ＰＩＦＳ期間の最後に基づいて第１の送信期間を決定する。プロセッサエレクトロニクスは、ＡＩＦＳ期間に基づく期間中に、第２のチャネル上のトラフィックの存在を示すモニタ出力に呼応して、ＰＩＦＳ期間の最後に基づいて第２の送信期間を決定する。一部の場合、第１のパケットは、第１の無線通信規格に基づく通信用に設定されている第１の無線通信デバイスに送信され、第２のパケットは、第２の無線通信規格に基づく通信用に設定されている第２の無線通信デバイスに送信され、第１の無線通信規格および第２の無線通信規格のそれぞれで第１のチャネルが利用される。第１のパケットは、第１のパケットの長さを示すフィールドを含む。一部の実装においては、プロセッサエレクトロニクスは、フィールドを、ダウンリンクの直交周波数分割多重接続送信を示すよう設定する。一部の実装においては、第１のパケットと第２のパケットとは同じ無線通信デバイスに送信され、無線通信チャネルは、８０ＭＨｚ、１２０ＭＨｚ、または１６０ＭＨｚの帯域幅に基づく通信用に設定された重複する基本サービスセット（ＯＢＳＳ）に関連付けられている。
【００１４】
１以上の実装例の詳細を、添付図面および記載で示す。他の特徴および利点も、記載および図面、ならびに請求項から明らかである。
【図面の簡単な説明】
【００１５】
【図１】無線通信のチャネル構造の一例を示す。
【００１６】
【図２】２つの無線通信デバイスを有する無線ネットワークの一例を示す。
【００１７】
【図３】無線通信デバイスアーキテクチャの一例を示す。
【００１８】
【図４】マルチチャネル無線通信のための通信処理の一例を示す。
【００１９】
【図５Ａ】複数のチャネルを介した通信フローの例を示す。
【図５Ｂ】複数のチャネルを介した通信フローの例を示す。
【図５Ｃ】複数のチャネルを介した通信フローの例を示す。
【図５Ｄ】複数のチャネルを介した通信フローの例を示す。
【００２０】
【図６】ダウンリンク直交周波数分割多重接続（ＯＦＤＭＡ）のための帯域幅情報の一例を示す。
【００２１】
【図７Ａ】直交周波数分割多重接続（ＯＦＤＭＡ）に基づく、承認応答を含む通信フローレイアウトの例を示す。
【図７Ｂ】直交周波数分割多重接続（ＯＦＤＭＡ）に基づく、承認応答を含む通信フローレイアウトの例を示す。
【００２２】
【図８】１つのプライマリチャネルおよび４つのセカンダリチャネルのための通信フローレイアウトの例を示す。
【００２３】
【図９】デュアルプライマリチャネル構造アーキテクチャの一例を示す。
【００２４】
【図１０】重なっているチャネライゼーションレイアウトの一例を示す。
【００２５】
様々な図面における類似した参照符号は、同様のエレメントを示す。
【発明を実施するための形態】
【００２６】
本開示は、マルチチャネル無線通信のためのシステムおよび技術を含む、無線ローカルエリアネットワークのための技術の詳細および例を提供する。マルチチャネルデバイス無線通信のための技術の一例には、２以上の異なる種類の無線通信デバイスと、帯域幅利用を増加させるように通信するよう無線通信デバイスを動作させることを含む。潜在的に可能性のある利点には、プライマリおよびセカンダリチャネル帯域幅の利用率の向上、古い規格との後方互換性、またはこれらの両方が含まれる。ここに記載する技術およびアーキテクチャは、ＩＥＥＥ８０２．１１ａｃに基づくもの等の、様々な無線通信システムで実装することができる。
【００２７】
図１は、無線通信のためのチャネル構造の一例を示す。無線通信デバイス１０５、１１０、１１５は、それぞれが２０メガヘルツ（ＭＨｚ）幅であってよいチャネル１２５、１３０、１３５、１４０のグループ１２０を介して通信することができる。このグループ１２０は、８０ＭＨｚの重畳する基本サービスセット（ＯＢＳＳ）構成であってよい。グループ１２０は、２つのプライマリチャネル１２５、１３５（それぞれＰ１およびＰ２と称す）、および、関連するセカンダリチャネル１３０、１４０（それぞれＳ１およびＳ２と称す）を含む。
【００２８】
ＰＡチャネル１２５上での送信は、グループ１２０に関連付けられたチャネル上のネットワーク割り当てベクトル（ＮＡＶ）等の送信保護期間を設定する。ＡＰデバイス１０５は、高スループット（ＨＴ）デバイス１１０（例えばＩＥＥＥ８０２．１１ｎに基づくデバイス）および非常に高いスループットの（ＶＨＴ）デバイス１１５（例えばＩＥＥＥ８０２．１１ａｃに基づくデバイス）等の、様々な種類のデバイス（例えば様々な規格に基づくデバイス）と通信することができる。ＨＴデバイス１１０は、Ｐ１チャネル１２５、Ｓ１チャネル１３０、またはこれらの組み合わせを利用するよう構成されており、ＶＨＴデバイス１１５は、Ｐ１チャネル１２５、Ｐ２チャネル１３５、Ｓ１チャネル１３０、Ｓ２チャネル１４０、または、これらチャネルのうち２以上の組み合わせを利用するよう構成されていてよい。ＡＰは、ＶＨＴデバイス１１５およびＨＴデバイス１１０に対して同時に送信することができる。
【００２９】
場合によっては、ＡＰデバイス１０５は、Ｐ２チャネル１３５を利用してＶＨＴデバイス１１５に送信を行い、Ｐ１チャネル１２５を利用してＨＴデバイス１１０に送信を行う。ＡＰデバイス１０５は、Ｐ１チャネル１２５、Ｐ２チャネル１３５上で１以上のパケットの送信を調整して、これらが同時に終わり、承認（ＡＣＫ）窓を生成するようにする。さらにＡＰ１０５は、Ｐ１チャネル１２５とＳ１チャネル１３０とを利用して、４０ＭＨｚ幅の送信をＨＴデバイス１１０に行い、Ｐ２チャネル１３５とＳ２チャネル１４０とを利用して、４０ＭＨｚ幅の送信をＶＨＴデバイス１１５に行うことができる。場合によっては、ＡＰは、グループ１２０の全てのチャネルを利用して単一のデバイスと通信することもできる。
【００３０】
図２は、２つの無線通信デバイスを有する無線ネットワークの一例を示す。無線通信デバイス２０５、２０７（アクセスポイント（ＡＰ）、基地局（ＢＳ）、無線ヘッドセット、アクセス端末（ＡＴ）、クライアントステーション、または移動局（ＭＳ）等）は、プロセッサエレクトロニクス２１０、２１２党の回路を含みうる。プロセッサエレクトロニクス２１０、２１２は、本開示に提示する１以上の技術を実装する１以上のプロセッサを含んでよい。無線通信デバイス２０５、２０７は、トランシーバエレクトロニクス２１５、２１７等の回路を含み、１以上のアンテナ２２０ａ、２２０ｂ、２２２ａ、２２２ｂを介して無線信号を送受信する。一部の実装例では、トランシーバエレクトロニクス２１５、２１７は、統合された送受信回路を含む。一部の実装例では、トランシーバエレクトロニクス２１５、２１７は、複数の無線ユニットを含む。一部の実装例では、無線ユニットは、信号を送受信するベースバンドユニット（ＢＢＵ）および無線周波数ユニット（ＲＦＵ）を含む。トランシーバエレクトロニクス２１５、２１７は、検知器、復号器、変調器、および、符号器のうちの１以上を含んでよい。トランシーバエレクトロニクス２１５、２１７は、１以上のアナログ回路を含んでよい。無線通信デバイス２０５、２０７は、データ、命令、またはこれら両方等の情報を格納するよう構成された１以上のメモリ２２５、２２７を含む。一部の実装例では、無線通信デバイス２０５、２０７は、送信専用回路または受信専用回路を含む。一部の実装例では、無線通信デバイス２０５、２０７は、サービス提供デバイス（例えばアクセスポイント）またはクライアントデバイスとして動作することができる。
【００３１】
一部の実装例では、第１の無線通信デバイス２０５は、直交空間サブスペース（例えば直交空間分割多元接続（ＳＤＭＡ）サブスペース）等の２以上の空間無線通信チャネルを介して１以上のデバイスへデータを送信することができる。例えば、第１の無線通信デバイス２０５は、空間無線チャネルを利用して第２の無線通信デバイス２０７へデータを同時送信することができ、異なる空間無線チャネルを利用して第３の無線通信デバイス（不図示）にデータを送信することもできる。一部の実装例では、第１の無線通信デバイス２０５は、単一の周波数範囲で空間分離された無線チャネルを提供するために２以上の空間多重行列を利用して２以上の無線通信デバイスにデータを送信する空間分割技術を実装している。
【００３２】
ＭＩＭＯ利用可能なアクセスポイント等の無線通信デバイスは、異なるクライアント無線通信デバイスに関連する空間分離した信号に１以上のトランスミッタ側ビームフォーミング行列を適用することで、同じ周波数範囲で同時に複数のクライアント無線通信デバイスの信号を送信することができる。無線通信デバイスの異なるアンテナの異なる信号パターンに基づいて、各クライアント無線通信デバイスは自身の信号を識別することができる。ＭＩＭＯ利用可能なアクセスポイントは、クライアント無線通信デバイスそれぞれのチャネル状態情報を取得するために、サウンディングに参加することができる。アクセスポイントは、異なるクライアントデバイスに対する空間分離した信号への異なるチャネル状態情報に基づいて、空間ステアリング行列等の空間多重行列を計算することができる。
【００３３】
図３は、上述した様々な実装詳細を含みうる無線通信デバイスアーキテクチャの一例を示す。無線通信デバイス３５０は、２以上の周波数範囲で２以上のクライアントに対する信号を生成することができる。チャネルは周波数範囲に関連付けられている。周波数範囲は、ＯＦＤＭサブキャリアグループを含むことができる。無線通信デバイス３５０はＭＡＣモジュール３５５を含む。ＭＡＣモジュール３５５は、１以上のＭＡＣ制御ユニット（ＭＣＵ）（不図示）を含むことができる。無線通信デバイス３５０は、ＭＡＣモジュール３５５から、１以上のクライアント（例えば、１以上のクライアントに対してＮ個のクライアント、またはＮ個の送信ストリーム）に関連したデータストリームを受信する３以上の符号器３６０ａ、３６０ｂ、３６０ｃを含む。符号器３６０ａ、３６０ｂ、３６０ｃは、順方向誤り訂正（ＦＥＣ）符号化技術等の符号化を利用して、符号化されたストリームをそれぞれ生成することができる。変調器３６５ａ、３６５ｂ、３６５ｃは、直交周波数分割多重接続（ＯＦＤＭＡ）逆高速フーリエ変換（ＩＦＦＴ）モジュール３８０用の変調されたストリームを生成するために、符号化されたストリームに変調を行うことができる。
【００３４】
ＯＦＤＭＡ  ＩＦＦＴ（Ｏ−ＩＦＦＴ）モジュール３８０は、それぞれの変調器３６５ａ、３６５ｂ、３６５ｃからの変調されたストリームにＩＦＦＴを実行することができる。一部の実装例では、Ｏ−ＩＦＦＴモジュール３８０は、ＯＦＤＭＡモジュールとＩＦＦＴモジュールとを含むことができ、このＯＦＤＭＡモジュールが、ＩＦＦＴ処理の前に異なるサブキャリアグループに対して異なる変調されたストリームをマッピングする。一部の実装例では、Ｏ−ＩＦＦＴモジュール３８０は、第１の変調器３６５ａの出力にＩＦＦＴを実行して、第１の周波数範囲に関連付けられた第１の時間領域信号を生成することができる。Ｏ−ＩＦＦＴモジュール３８０は、第２の変調器３６５ｂの出力にＩＦＦＴを実行して、第２の周波数範囲に関連付けられた第２の時間領域信号を生成することができる。Ｏ−ＩＦＦＴモジュール３８０は、Ｎ番目の変調器３６５ｃの出力にＩＦＦＴを実行して、Ｎ番目の周波数範囲に関連付けられたＮ番目の時間領域信号を生成することができる。
【００３５】
一部の実装例では、Ｏ−ＩＦＦＴモジュール３８０は、それぞれの第１の変調器３６５ａ、３６５ｂ、３６５ｃの出力に関連付けられている周波数成分（例えば周波数範囲成分）を組み合わせることができる。Ｏ−ＩＦＦＴモジュール３８０は、組み合わせにＩＦＦＴを実行して、周波数範囲に関連付けられている時間領域信号を生成することができる。一部の実装例では、Ｏ−ＩＦＦＴモジュール３８０が、１以上のＦＦＴ帯域幅周波数（例えば２０ＭＨｚ、４０ＭＨｚ、８０ＭＨｚ、および１６０ＭＨｚ）を利用するよう構成されている。一部の実装例では、Ｏ−ＩＦＦＴモジュール３８０が様々な異なるＩＦＦＴを実行することができる。
【００３６】
デジタルフィルタリングおよび無線モジュール３８５は、時間領域信号をフィルタリングして、送信用の信号を、アンテナモジュール３９０を介して送信する信号を増幅することができる。アンテナモジュール３９０は、複数の送信アンテナと複数の受信アンテナとを含むことができる。一部の実装例では、アンテナモジュール３９０は、無線通信デバイス３５０の外部の取り外し可能なユニットである。
【００３７】
一部の実装例では、無線通信デバイス３５０は、１以上の集積回路（ＩＣ）を含む。一部の実装例では、ＭＡＣモジュール３５５は、１以上のＩＣを含む。一部の実装例では、無線通信デバイス３５０は、複数のユニットおよび／またはモジュール（例えばＭＡＣモジュール、ＭＣＵ、ＢＢＵ、またはＲＦＵ）の機能を実装するＩＣを含む。一部の実装例では、無線通信デバイス３５０は、送信用のデータストリームをＭＡＣモジュール３５５に提供するホストプロセッサを含む。一部の実装例では、無線通信デバイス３５０は、ＭＡＣモジュール３５５からデータストリームを受信するホストプロセッサを含む。一部の実装例では、ホストプロセッサがＭＡＣモジュール３５５を含む。
【００３８】
図４は、マルチチャネル無線通信のための通信処理の一例を示す。４０５で、通信処理は、第１のチャネルおよび第２のチャネルを含む無線通信チャネルをモニタして、モニタ出力を生成する。モニタ出力は、チャネル上のトラフィックの検知を含む。４１０で、通信処理は、２以上のパケット間期間（例えばインターフレーム空間（ＩＦＳ）期間）を、モニタ出力に適用することで、第１のチャネルの第１の送信期間を決定する。ＩＦＳ期間は、２つの連続フレーム送信間の期間を制御することができる。フレーム送信はパケット送信を含む。別のＩＦＳ期間が、フレーム送信前の待ち時間を制御することができる。ＩＦＳ期間は、それぞれ異なる長さを有してよい。ＩＦＳ期間の様々な例には、調停ＩＦＳ（ＡＩＦＳ）期間およびポイント調整機能（ＰＣＦ）ＩＦＳ（ＰＩＦＳ）期間が含まれる。一部の実装例では、モニタ出力が、ＡＦＩＳ期間に基づく期間中に、第１のチャネル上にトラフィックが存在していると示している場合には、第１の送信期間を、ＰＩＦＳ期間の最後によって決定することができる。ＡＩＦＳ期間に基づく期間には、バックオフ期間が含まれていてよい。一部の実装例では、モニタ出力が、ＡＩＦＳ期間とバックオフ期間とに基づく期間中に第１のチャネル上にトラフィックが存在していると示している場合には、無線デバイスが、第１のチャネルが再度アイドルになるまでの間、バックオフ期間をフリーズすることができる。
【００３９】
４１５で、通信処理は、２以上のＩＦＳ期間をモニタ出力に適用することで、第２のチャネルの第２の送信期間を決定する。ＩＦＳ期間を適用することには、タイマーを開始させることが含まれてよく、タイマーはトラフィック検知に基づいてリセット可能である。モニタ出力が、ＡＩＦＳ期間に基づく期間中に第２のチャネル上にトラフィックが存在していると示している場合には、第２の送信期間を、ＰＩＦＳ期間の最後によって決定することができる。承認応答を制御するために、第１の送信期間の最後を、第２の送信期間の最後と合わせておく。第１の送信期間および第２の送信期間のそれぞれの最初の部分は、前に行ったトラフィックの検知に基づいて変化してよい。第１の送信期間と第２の送信期間の初めが同じである場合もある。一部の実装例では、通信処理は、２以上のＩＦＳ期間をモニタ出力に適用することで、２以上の送信期間を決定する。
【００４０】
４２０で、第１の送信期間に基づいて通信処理が、第１のパケットを第１のチャネル上に送信して、１以上の無線通信デバイスに、第１のパケット受信に基づいて、第１のチャネルおよび第２のチャネルのネットワーク割り当てベクトルを設定させる。４２５で、通信処理は、第２の送信期間に基づいて、第２のパケットを第２のチャネル上に送信する。一部の実装例では、通信処理は、送信回路を制御してパケットを送信させる。
【００４１】
４３０で、通信処理は、第１の送信期間の最後の後に、１以上の承認がくるかモニタする。プロセスには、２以上のデバイスの承認のスケジュールを示す情報を送信することが含まれてよい。
【００４２】
一部の場合には、アクセスポイントが、重複する送信期間それぞれについて、２つのデバイスにパケットを送信することができる。２つのデバイスは、それぞれ異なる無線通信規格（例えば、ＩＥＥＥ８０２．１１ｎまたはＩＥＥＥ８０２．１１ａｃ）に基づいていてよい。例えば、第１のパケットの送信には、第１の無線通信規格（例えばＩＥＥＥ８０２．１１ｎ）に基づく通信用に設定されている第１の無線通信デバイスに送信を行うことが含まれてよく、第２のパケットの送信には、第２の無線通信規格（例えばＩＥＥＥ８０２．１１ａｃ）に基づく通信用に設定されている第２の無線デバイスに送信を行うことが含まれてよい。第１の無線通信規格および第２の無線通信規格は、第１のチャネル上の相互に互換性のある通信を定義することができ、第２の規格は、第１のチャネルおよび第２のチャネルの通信を定義することができる。
【００４３】
場合によっては、アクセスポイントが、複数のチャネルを利用する同じデバイスへの重複する送信を含みうる。例えば、第１のパケットおよび第２のパケットの送信には、同じデバイスに同時に複数のパケットを送信することが含まれていてよい。これらパケットは、向上した通信帯域幅を提供する集合パケットを形成することができる。
【００４４】
図５Ａ、図５Ｂ、図５Ｃ、および図５Ｄは、複数のチャネルを介した通信フローの様々な例を示す。これらの例では、プライマリチャネルＰ１およびＰ２、並びに、セカンダリチャネルＳ１およびＳ２が利用されている。プライマリチャネルでの送信に、セカンダリチャネルでの同時送信が含まれる場合がある。
【００４５】
図５Ａは、複数のチャネル上の送信を含む通信フローの一例を示す。送信機会（ＴＸＯＰ）を得るために、ＡＰ等のデバイスは、１以上のプライマリチャネルおよび１以上のセカンダリチャネルの無線トラフィックをモニタすることができる。プライマリチャネルがＡＩＦＳとバックオフとを足し合わせた期間アイドルであり、且つ、１以上のセカンダリチャネルが少なくともＰＩＦＳ期間はアイドルであった場合、デバイスは、ＴＸＯＰにアイドルチャネルを利用することができる。ＴＸＯＰの取得に基づいて、デバイスは、フレーム間にＳＩＦＳ空白期間を置いて、継続して１以上のフレームを送信することができる。この例では、Ｐ１チャネルにおけるＡＩＦＳおよびバックオフパラメータに対応する期間およびＳ１、Ｐ２、Ｓ２チャネルにおけるＰＩＦＳの期間に基づいて、ＡＰが、ＴＸＯＰにおいて、第１のパケット５０５をＰ１およびＳ１チャネルでＨＴデバイスに送信して、第２のパケット５１０をＰ２およびＳ２チャネルでＶＨＴデバイスに送信する。第１のパケット５０５および第２のパケット５１０の送信は、同時に行われる。チャネル上にトラフィックが存在する場合には、ＡＰは、ＰＩＦＳに対応する期間パケット送信を待つ。第１のパケット５０５がＰ１チャネル上で受信されると、クライアントデバイスで、Ｐ１およびＰ２チャネル、並びに、関連するセカンダリチャネルについて仮想ＮＡＶ（ＶＮＡＶ）期間が設定される。パケット５０５、５１０は、物理層プロトコルデータユニット（ＰＰＤＵ）等のデータユニットが含まれてよい。一部の実装例では、パケット５０５、５１０が複数のデータユニットを含みうる。
【００４６】
ＡＰデバイスは、ブロック承認（ＢＡ）等の承認（ＡＣＫ）のための窓を生成するために、パケット５０５、５１０の送信が同時に終わるように調整する。ショートインターフレーム空間（ＳＩＦＳ）に対応する期間に基づいて、ＨＴデバイスは、第１のパケット５０５の受信を承認するために、１以上のＢＡ５１５ａ、５１５ｂを、ＡＰに送ることができる。ＢＡ５１５ａ、５１５ｂの送信の最後および別のＳＩＦＳ期間に基づいて、ＶＨＴデバイスは、第２のパケット５１０の受信を承認するために、１以上のＢＡ５１７ａ、５１７ｂをＡＰに送ることができる。一部の実装例では、ＡＰデバイスは、ブロック承認要求（ＢＡＲ）を送り、２以上のデバイスからのＢＡの送信を制御する。
【００４７】
ＡＰはＰ１およびＰ２チャネル、並びに関連するセカンダリチャネルＳ１およびＳ２を利用して、１以上のデバイスにデータを送信することができる。場合によっては、ＡＰは第１のパケット５０５を利用してＶＨＴデバイスに送信を行うこともできる。さらにＡＰは、第２のパケット５１０を利用して、同じまたは別のＶＨＴデバイスに送信を行うこともできる。
【００４８】
図５Ｂは、複数のチャネル上の送信を含む通信フローの別の例を示す。この例では、第１のパケット５２０がＰ２およびＳ２チャネル上のデバイスから受信されると、Ｐ２およびＳ２チャネルにおけるデータ送信に遅延が生じる。第１のパケット５２０の送信により、ＮＡＶが設定される。第１のパケット５２０の最後およびＰＩＦＳ期間に基づいて、ＡＰは、第３のパケット５３０を、Ｐ２およびＳ２チャネルを介してＶＨＴデバイスに送信する。ＡＩＦＳにバックオフ期間を足し合わせたものに基づいて、ＡＰは第２のパケット５２５を、Ｐ１およびＳ１チャネルを介してＨＴデバイスに送信する。第２のパケット５２５は、送信可（ＣＴＳ：Clear to Send）メッセージを示していてよい。例えば第２のパケット５２５は、自身へのＣＴＳ（CTS-to-self）を含んでよい。この例では、第２のパケット５２５の送信の一部が第３のパケット５３０の送信と重なっている。第２のパケット５２５のＰ１チャネル上での送信により、Ｐ１およびＰ２チャネルおよび関連するＳ１およびＳ２チャネルに対してＶＮＡＶ期間が設定される。
【００４９】
ＡＰは、第２のパケット５２５の送信と第３のパケット５３０の送信とを、両方が同じ時間に終わり、ＨＴデバイスからのＡＣＫ５４０ａ、５４０ｂ、および、ＶＨＴデバイスからのＡＣＫ５４５ａ、５４５ｂのための窓が作成されるように調整する。ＨＴデバイスおよびＶＨＴデバイスからのＡＣＫは、それぞれ異なるチャネルではあるが、重なっても良い、とされる。
【００５０】
図５Ｃも、複数のチャネル上の送信を含む通信フローの別の例を示す。この例では、第１のパケット５５０をＰ１およびＳ１チャネル上で受信すると、Ｐ１チャネル上のデータ送信に遅延が生じる。第１のパケット５５０の送信の最後およびＰＩＦＳ期間に基づいて、ＡＰは、第２のパケット５５５を、Ｐ１およびＳ１チャネルを介してＨＴデバイスに送信する。場合によっては、第２のパケット５５５に、デバイスに対するデータの代わりに、自身へのＣＴＳ（CTS-to-self）が含まれていても良い。第２のパケット５５５のＰ１チャネル上での送信により、Ｐ１およびＰ２チャネルに対してＶＮＡＶ期間等の送信保護期間が設定される。第２のパケット５５５の送信により、リッスンしているデバイスが、Ｐ１およびＳ１チャネル上に送信しないようにすることができる。ＡＩＦＳにバックオフ期間を足し合わせたものに基づいて、ＡＰは、第３のパケット５６０を、Ｐ２およびＳ２チャネルを介してＶＨＴデバイスに送信する。なお、前のトラフィックによって、第３のパケット５６０の最初の部分は、第２のパケット５５５よりも早い。
【００５１】
ＡＰデバイスは、第２のパケット５５５の送信と第３のパケット５６０の送信とを、両方が同じ時間に終わり、ＨＴデバイスおよびＶＨＴデバイスからのＡＣＫ５６５ａ、５６５ｂ、５６５ｃ、５６５ｄのための窓が作成されるように調整する。一部の実装例では、ＨＴデバイスおよびＶＨＴデバイスからのＡＣＫは、それぞれ異なるチャネルではあるが、重なっても良い、とされる。
【００５２】
図５Ｄは、複数のチャネル上での送信と、クリアチャネル評価のための期間とを含む通信フローの別の例を示す。この例では、ＡＰが、クリアチャネル評価（ＣＣＡ）を実行する。ＣＣＡ５７０の最後とＰＩＦＳ期間とに基づいて、ＡＰは、第１のパケット５７５を、Ｐ１およびＳ１チャネルを介してＨＴデバイスに送信して、第２のパケット５８０を、Ｐ２およびＳ２チャネルを介してＶＨＴデバイスに送信する。第１のパケット５７５の送信と第２のパケット５８０の送信とは同時に行われる。第１のパケット５７５がＰ１チャネルで送信されると、Ｐ１およびＰ２チャネルについてＶＮＡＶ期間が設定される。ＡＰは、Ｐ１チャネルで第１のパケット５７５の送信中に受信する必要はない。ＡＰは、パケット５７５、５８０の送信を、両方が同じ時間に終わり、承認５８５ａ、５８５ｂのための窓が作成されるように調整する。
【００５３】
図６は、ＤＬ−ＯＦＤＭＡのための帯域幅情報の一例を示す。ＡＰは、ダウンリンクＯＦＤＭＡ（ＤＬ−ＯＦＤＭＡ）のためのサポートをアナウンスすることができる。ＡＰとの関連付け期間中に、ＶＨＴデバイスは、ＤＬ−ＯＦＤＭＡのためのサポートを示すことができる。ＡＰは、ＤＬ−ＯＦＤＭＡに関連付けられているチャネルそれぞれの帯域幅を示すために帯域幅情報を送信することができる。帯域幅情報６０５は、チャネル（Ｃ１−Ｃ４）それぞれについてのビット値（Ｂ１−Ｂ４）を含んでいる。チャネルＣ１およびＣ２は、第１セグメントに分類され、チャネルＣ３およびＣ４が第２セグメントに分類されてよい。チャネルＣ１がプライマリチャネルとなり、チャネルＣ２、Ｃ３、およびＣ４がセカンダリチャネルとなってよい。ビット値の組み合わせによって、それぞれのセグメントの帯域幅が示されてよい。第１セグメントの帯域幅は、第２セグメントの帯域幅とは異なっていてよい。また、一部のビット値の組み合わせに、帯域幅が示されていなくてもよい。
【００５４】
残りの図面を参照すると、送信信号が、レガシーショートトレーニングフィールド（Ｌ−ＳＴＦ）またはレガシーロングトレーニングフィールド（Ｌ−ＬＴＦ）等の１以上のレガシートレーニングフィールド（Ｌ−ＴＦ）を含んでよい。送信信号は、１以上のレガシー信号フィールド（Ｌ−ＳＩＧ）を含んでよい。送信信号は、１以上のＨＴ信号フィールド（ＨＴ−ＳＩＧ）を含んでよい。送信信号は、１以上のＨＴトレーニングフィールド（ＨＴ−ＴＦ）を含んでよい。これらトレーニングフィールドの例には、ＨＴショートトレーニングフィールド（ＨＴ−ＳＴＦ）およびＨＴロングトレーニングフィールド（ＨＴ−ＬＴＦ）が含まれる。送信信号は、１以上のＶＨＴ信号フィールド（ＶＨＴ−ＳＩＧ）を含んでよい。送信信号は、１以上のＨＴトレーニングフィールド（ＶＨＴ−ＴＦ）を含んでよい。これらトレーニングフィールドの例には、ＶＨＴショートトレーニングフィールド（ＶＨＴ−ＳＴＦ）およびＶＨＴロングトレーニングフィールド（ＶＨＴ−ＬＴＦ）が含まれる。送信信号は、ＨＴ−データフィールドおよびＶＨＴ−データフィールド等の異なる種類のデータを含んでよい。送信が示すパケットは、トレーニングフィールド、信号フィールド、およびデータ成分（例えばＶＨＴデータまたはＨＴデータ）を含んでよい。
【００５５】
図７Ａおよび図７Ｂは、直交周波数分割多重接続（ＯＦＤＭＡ）に基づく、承認応答を含む通信フローレイアウトの例を示す。これらの例において、ＡＰは、ＨＴデータとＶＨＴデータとを同時に送信する。ＡＰは、ＨＴデバイスおよびＶＨＴデバイス等のデバイスと通信することができる。
【００５６】
図７Ａは、同時承認応答を含む通信フローレイアウトの一例を示す。ＡＰは、ＨＴデバイスへの送信にプライマリチャネルを利用して、ＶＨＴデバイスへの送信にセカンダリチャネルを利用することができる。ＨＴ送信７０５は、２０ＭＨｚまたは４０ＭＨｚ幅であってよい。ＶＨＴ送信７１０は、４０、８０、１２０、または１６０ＭＨｚ幅であってよい。ＶＨＴ−ＳＩＧ−Ａ７１５の帯域幅フィールドは、ＶＨＴ送信７１０の帯域幅を示していてよい。一部の実装例では、ＶＨＴ−ＳＩＧ−Ａ７１５の長さフィールドが帯域幅を示している。
【００５７】
必要であれば、ＡＰは、ＶＨＴ送信７１０の最後を、ＨＴ送信７０５の最後に合わせるためにパディング７３０を含んでよい。ＶＨＴデバイスは、ＶＨＴ送信７１０が自身を宛先としたものかを判断するために、デバイス識別子またはグループ識別子といった識別子を利用することができる。ＨＴデバイスは、プライマリチャネルでＨＴ−ＡＣＫ７２０に応答して、ＶＨＴデバイスは、同時に、セカンダリチャネルでＶＨＴ−ＡＣＫ７２５に応答する。
【００５８】
図７Ｂは、連続承認応答を含む通信フローレイアウトの一例を示す。ＡＰは、ＨＴデバイスへの送信にプライマリチャネルを利用して、ＶＨＴデバイスへの送信にセカンダリチャネルを利用することができる。ＨＴ送信７５０は、２０ＭＨｚ幅または４０ＭＨｚ幅であってよい。ＨＴ送信７５５は、４０、８０、１２０、または１６０ＭＨｚ幅であってよい。ＶＨＴ−ＳＩＧ−Ａ７６０の帯域幅フィールドは、ＶＨＴ送信７５５の帯域幅を示していてよい。ＨＴ送信７５０のＭＡＣヘッダ７６５における期間の値は、ＨＴ送信７５０およびＶＨＴ送信７５５に対する承認の期間の最後（例えばＮＡＶの最後）を示す。ＶＨＴ送信７５５のＭＡＣヘッダ７６７のオフセット値は、ＶＨＴデバイスのオフセット値を示している。ＶＨＴデバイスは、１以上のＶＨＴ−ＡＣＫ７７０ａ、７７０ｂの送信の基礎としてオフセット値を利用して、ＨＴ−ＡＣＫ７６０と重ならないようにする。この例では、ＨＴ−ＡＣＫ７６０は、単一のサブチャネル（例えば２０または４０ＭＨｚサブチャネル）でだけ送信される。ＢＡＲ７６５ａ、７６５ｂ、および、ＶＨＴ−ＡＣＫ７７０ａ、７７０ｂは、複数のサブチャネルで応答を複製する複製モードに基づいて送信される。
【００５９】
ＶＨＴデバイスは、受信した信号を処理して、ダウンリンクＯＦＤＭＡ送信を検知することができる。例えば、Ｌ−ＳＩＧ７６１ａ、７６１ｂにおける長さフィールド（例えばＬ＿ＬＥＮＧＴＨ）を利用して、ダウンリンクＯＦＤＭＡ送信についてＶＨＴデバイスに信号で伝えることができる。長さフィールドを介したダウンリンクＯＦＤＭＡの信号による伝達は、ＩＥＥＥ８０２．１１ｎに対して後方互換性を有する。ＩＥＥＥ８０２．１１ｎでは、Ｌ＿ＬＥＮＧＴＨが、以下のように定義されている。
【数Ａ】
2013511221.tif 000003
ここでＴＸＴＩＭＥは、送信時間を表し、Ｓｉｇｎａｌ＿Ｅｘｔｅｎｓｉｏｎ（信号延長）は、信号延長値を表す。このＬ＿ＬＥＮＧＴＨを３で割った余りがゼロに等しくなる（L_LENGTH modulo three equals zero）。
【００６０】
ダウンリンクＯＦＤＭＡ送信に参加するＶＨＴデバイスについて、Ｌ＿ＬＥＮＧＴＨは、以下のように定義される。
【数Ｂ】
2013511221.tif 000004
このＬ＿ＬＥＮＧＴＨを３で割った余りがゼロになる点は注目に値する。一部の実装例では、Ｌ＿ＬＥＮＧＴＨは、以下のように定義される。
【数Ｃ】
2013511221.tif 000005
これは、ダウンリンクＯＦＤＭＡ送信を示している。Ｌ−ＳＩＧを受信するＶＨＴデバイスは、ＩＥＥＥ８０２．１１ｎ送信（例えば６Ｍｂｐｓのレート）を示し、Ｌ＿ＬＥＮＧＴＨ条件がダウンリンクＯＦＤＭＡ送信を示す。一部の実装例では、Ｌ＿ＬＥＮＧＴＨ条件とは、Ｌ＿ＬＥＮＧＴＨ値を３で割った余りが１に等しくなるときである。一部の実装例では、Ｌ＿ＬＥＮＧＴＨ条件とは、Ｌ＿ＬＥＮＧＴＨを３で割った余りの値がゼロに等しくないときである。
【００６１】
受信した送信７５０、７５５を処理するために、ＶＨＴデバイスは、２０、４０、８０、または１６０ＭＨｚの帯域幅に基づいてＦＦＴを実行することができる。ＨＴ−ＳＩＧ７６２およびＶＨＴ−ＳＩＧ−Ａ７６０の第１および第２のシンボルのローテーションに基づいて、プライマリチャネル上の送信をＨＴ送信７５０と特定することができ、１以上のセカンダリチャネル上の送信をＶＨＴ送信７５５と特定することができる。ＶＨＴデバイスは、ＶＨＴ送信７５５と関連しているトーンを利用して、受信したＶＨＴ−ＳＩＧ−Ａ７６０情報を判断して、チャネル帯域幅を決定することができる。ＶＨＴデバイスは、ＶＨＴ−ＳＩＧ情報に基づいて、受信したＰＰＤＵを処理する。
【００６２】
図８は、１つのプライマリチャネルと４つのセカンダリチャネルとのための通信フローレイアウトの例を示す。ＡＰは、プライマリチャネルであるＰチャネル８１０、並びに、セカンダリチャネルであるＳ１チャネル８２０ａ、Ｓ２チャネル８２０ｂ、Ｓ３チャネル８２０ｃ、および、Ｓ４チャネル８２０ｄを介してクライアントデバイスと通信する。４０ＭＨｚ幅のセカンダリチャネル８２０ｂは、２つの２０ＭＨｚ幅のサブチャネル８２５ａ、８２５ｂ（Ｓ２１およびＳ２２と称される）に分割することができる。ＤＬ−ＯＦＤＭＡ送信の検知（例えばＬ−ＴＦ、Ｌ−ＳＩＧにおける情報または前のパケットによる送信等の検知）に基づいて、ＶＨＴデバイスは、ＶＨＴパケットがないか、Ｓ２１サブチャネル８２５ａのチェックを開始する。一部の実施形態では、ＶＨＴデバイスは、ＶＨＴパケットがないか、Ｓ２２サブチャネル８２５ｂをチェックする。一部の実施形態では、ＶＨＴデバイスは、サブチャネル８２５ａ、８２５ｂの組み合わせをチェックする。
【００６３】
ＡＰは、単一のデバイスに対する、ＩＥＥＥ８０２．１１ａ送信、ＩＥＥＥ８０２．１１ｎ送信、またはＩＥＥＥ８０２．１１ａｃ送信等の他の送信から、ＩＥＥＥ８０２．１１ａｃベースのダウンリンクＯＦＤＭＡ送信を区別するための情報を、自身の送信に組み込むことができる。ＯＦＤＭＡパケットについては、受信側のＶＨＴデバイスは、ＶＨＴフレームを搬送するチャネルをチェックして、ＨＴデバイスは、Ｐ、Ｓ１、または両方のチャネルに、ＨＴフレームがないかチェックする。例えば、Ｐチャネル８１０に｛レート＝６Ｍｂｐｓ、およびＬ＿ＬＥＮＧＴＨ％３≠０｝をもつＬ−ＳＩＧ、および、Ｓ２１チャネル８２５ａに｛レート＝６Ｍｂｐｓ、およびＬ＿ＬＥＮＧＴＨ％３≠０｝をもつＬ−ＳＩＧを利用して、ＤＬ−ＯＦＤＭＡ送信を示すことができる。
【００６４】
場合によっては、ＶＨＴデバイスは、Ｐチャネル８１０のＬ−ＳＩＧを復号することができる。｛レート＝６Ｍｂｐｓ、およびＬ＿ＬＥＮＧＴＨ％３≠０｝をもつＬ−ＳＩＧは、ＤＬ―ＯＦＤＭＡ送信を示すことができる。非ＨＴ  ＰＰＤＵが｛レート＝６Ｍｂｐｓ、およびＬ＿ＬＥＮＧＴＨ％３≠０｝を利用する場合、ＤＬ―ＯＦＤＭＡを行うことのできるＶＨＴデバイスは、Ｐチャネル８１０およびＳ２１チャネル８２５ａにおける、以下に述べる２つのシンボルをチェックして、受信した送信が、単一の非ＨＴパケットまたはＤＬ−ＯＦＤＭＡ送信を含んでいるかを判断する。
【００６５】
ＶＨＴデバイスが、Ｌ−ＳＴＦ、Ｌ−ＬＴＦ、またはＬ−ＳＩＧ等の信号伝達情報をＰチャネル８１０およびＳ２１チャネル８２５ａに大体同時に検知した場合、ＶＨＴデバイスは、次に、Ｓ２１チャネル８２５ａに、Ｌ−ＳＩＧおよびＶＨＴ−ＳＩＧ−Ａが存在するかをチェックすることができる。存在している場合には、Ｌ−ＳＩＧ、ＶＨＴ−ＳＩＧ−Ａ、または、これら両方が、受信した送信が非ＯＦＤＭＡフレーム（例えば単一デバイス用のパケットを含むフレーム）、または、ＤＬ−ＯＦＤＭＡフレーム（例えば２以上のデバイス用に別個のデータを含むフレーム）であるかを示していると想定される。一部の実装例では、Ｌ−ＳＩＧをＩレールで送信するときには、未使用のＱ−レールで送信される低い電力の信号（例えばＩ−レールにおける電力より６ｄＢ低いもの）を利用して、ＤＬ−ＯＦＤＭＡ送信を示すことができる。ＶＨＴデバイスがＯＦＤＭＡフレームを検知した後で、ＶＨＴデバイスは、Ｓ２１チャネルのＶＨＴ−ＳＩＧフィールドをチェックして、ＶＨＴフレームおよび関連するチャネル帯域幅を搬送しているチャネルを判断することができる。
【００６６】
図９は、デュアルプライマリチャネル構造アーキテクチャの一例を示す。ＡＰは、プライマリチャネル（例えばＰチャネル９１０）および１以上のセカンダリチャネル（例えばＳ１チャネル９２０ａ、Ｓ２チャネル９２０ｂ、Ｓ３チャネル９２０ｃ、および、Ｓ４チャネル９２０ｄ）を介してクライアントデバイスと通信することができる。Ｐチャネル９１０は２０ＭＨｚ幅であってよい。Ｐチャネル９１０に隣接するセカンダリチャネル９２０ａは、２０ＭＨｚ幅であってよい。他のセカンダリチャネル９２０ｂ、ｃ、ｄは、４０ＭＨｚ幅であってよい。４０ＭＨｚ幅のセカンダリチャネル９２０ｂは、２つの２０ＭＨｚ幅のチャネル９２５ａ、９２５ｂ（Ｓ２１およびＳ２２と称される）に分割することができ、いずれかをプライマリとすることができる。
【００６７】
ＡＰは、ＯＦＤＭＡ制御フレームを利用することで、ＤＬ−ＯＦＤＭＡのための送信機会（ＴＸＯＰ）期間９０５をリザーブする。ＯＦＤＭＡ制御フレームは、以下のＴＸＯＰがＯＦＤＭＡ  ＴＸＯＰであると示している。ＯＦＤＭＡ  ＴＸＯＰでは、ＨＴデバイスおよびＩＥＥＥ８０２．１１ａベースのデバイスが、Ｐチャネル９１０のチャネル活動をモニタすることができ、ＶＨＴデバイスが、Ｓ２１チャネル９２５ａのチャネル活動をモニタすることができる。ＶＨＴ−ＳＩＧ−ＡがＳ２１チャネル９２５ａに存在している場合には、送信タイプ（例えばＤＬ−ＯＦＤＭＡ送信タイプまたは非ＯＦＤＭＡ−送信タイプ）、および、サブチャネルの利用情報（subchannel usage）を示すことができる。ＶＨＴ−ＳＩＧ−ＡまたはＶＨＴ−ＳＩＧ−Ｂ等のＶＨＴ−ＳＩＧは、１以上のＶＨＴデバイス用のＯＦＤＭＡ帯域幅の利用情報を含むことができる。例えば、ＶＨＴ−ＳＩＧは、１以上のグループメンバー用の帯域幅割り当て値等のＯＦＤＭＡグループ識別子および帯域幅情報を含むことができる。これら帯域幅情報およびＯＦＤＭＡグループ識別子に基づいて、ＶＨＴデバイスは、Ｓ２１およびＳ２２チャネル上で送信を受信する準備をすることができ、そうではないと示されている場合には、全てのチャネルで送信の受信の準備をすることができる。
【００６８】
ＡＰは、第１の送信９１５ａを非ＶＨＴデバイスに、および、第２の送信９１５ｂをＶＨＴデバイスに同時送信することができる。ＨＴデバイスまたはＩＥＥＥ８０２．１１ａベースのデバイス等の非ＶＨＴデバイスは、データ送信９１５ａに続いてＡＣＫ９３０を送ることができ、ＶＨＴデバイスは、ＢＡ９５０等の承認を、非ＶＨＴデバイスからのＡＣＫ９３０に続くＢＡＲ９４０の送信の後に送ることができる。将来的には、ＡＰは、Ｐチャネル９１０と全てのセカンダリチャネル９２０ａ−ｄとを利用して、ＶＨＴデータ９６０をＶＨＴデバイスに送信することができる。
【００６９】
無線通信デバイスは、ＣＣＡを、プライマリチャネル（例えばＰチャネル９１０）および関連するセカンダリチャネル（例えばＳ１−Ｓ４チャネル９２０ａ−ｄ）に提供することができる。一部の実装例では、操作チャネル幅が８０／１６０ＭＨｚに設定されたＨＶＴデバイスのレシーバが、プライマリチャネルおよびセカンダリチャネル両方にＣＣＡを提供することができる。セカンダリチャネルがアイドルの場合には、受信レベルが最小変調および符号レートの感度である−８２ｄＢｍ以上である、有効な２０ＭＨｚ  ＨＴ／ＶＨＴ信号をプライマリチャネルで開始させることで、ＰＨＹを、４秒中に９０％を超える確率で、プライマリチャネルのＰＨＹ  ＣＣＡ  ＢＵＳＹステータスを設定することができる。
【００７０】
受信レベルが最小変調および符号レートの感度である−７９ｄＢｍ以上である、プライマリチャネルおよび第１のセカンダリチャネル両方を占有する有効な４０ＭＨｚ  ＨＴまたは４０ＭＨｚ  ＶＨＴ信号を開始させると、ＰＨＹは、４秒中に９０％を超える確率で、プライマリチャネルおよび第１のセカンダリチャネルの両方のＰＨＹ  ＣＣＡ  ＢＵＳＹステータスを設定することができる。
【００７１】
受信レベルが最小変調および符号レートの感度である−７６ｄＢｍ以上である、プライマリチャネルおよびセカンダリチャネルの一部または全ての両方を占有する有効な８０ＭＨｚ  ＶＨＴ信号を開始させると、ＰＨＹは、４秒中に９０％を超える確率で、プライマリチャネルおよび第１および第２のセカンダリチャネル両方のＰＨＹ  ＣＣＡ  ＢＵＳＹステータスを設定することができる。帯域幅設定が異なれば、最小変調および符号レート感度の値も異なったものとしてよい（例えば、１２０ＭＨｚ  ＶＨＴ信号には−７３ｄＢｍ、および、１６０ＭＨｚ  ＶＨＴ信号には−７０ｄＢｍといったように）。
【００７２】
レシーバは、２０ＭＨｚのプライマリチャネルで、所定の閾値（例えば−６２ｄＢｍ）以上の信号について、２０ＭＨｚのプライマリチャネルのＣＣＡ信号をビジー状態にしておくことができる。この受信レベルは、２０ＭＨｚ  ＰＰＤＵの最小変調および符号レート感度より２０ｄＢ高い。プライマリチャネルがアイドルの場合には、レシーバは、２０ＭＨｚのセカンダリチャネルで、所定の閾値以上の信号について、２０ＭＨｚのセカンダリチャネルのＣＣＡ信号をビジー状態にしておくことができる。一部の実装例では、プライマリチャネルがアイドルの場合には、レシーバは、４０ＭＨｚのセカンダリチャネルの２０ＭＨｚのサブチャネルで、所定の閾値以上の信号を、４０ＭＨｚのセカンダリチャネルで、ＣＣＡ信号をビジー状態にしておくことができる。一部の実装例では、プライマリチャネルがアイドルの場合には、レシーバは、８０ＭＨｚのセカンダリチャネルの２０ＭＨｚのサブチャネルで、所定の閾値以上の信号を、８０ＭＨｚのセカンダリチャネルで、ＣＣＡ信号をビジー状態にしておくことができる。
【００７３】
レシーバは、１以上のセカンダリチャネルで所定の閾値以上、およびプライマリチャネルで所定の閾値以上の、プライマリチャネルおよび１以上のセカンダリチャネルに存在する信号について、２０ＭＨｚのプライマリチャネルのＣＣＡおよび１以上のセカンダリチャネルのＣＣＡをビジー状態にしておくことができる。レシーバは、２０ＭＨｚのプライマリチャネルで、所定の閾値以上の信号について、２０ＭＨｚのプライマリチャネルのＣＣＡ信号をビジー状態にしておくことができる。このレベルは、２０ＭＨｚ  ＰＰＤＵの最小変調および符号レート感度より２０ｄＢ高い。プライマリチャネルがアイドルの場合には、レシーバは、２０ＭＨｚのセカンダリチャネルで、所定の閾値以上の信号について、２０ＭＨｚのセカンダリチャネルのＣＣＡ信号をビジー状態にしておくことができる。プライマリチャネルがアイドルの場合には、レシーバは、４０／８０ＭＨｚのセカンダリチャネルの２０ＭＨｚのサブチャネルで、所定の閾値以上の信号について、４０／８０ＭＨｚのセカンダリチャネルのＣＣＡ信号をビジー状態にしておくことができる。レシーバは、１以上のセカンダリチャネルで所定の閾値以上、および、プライマリチャネルで所定の閾値以上の１以上のプライマリおよびセカンダリチャネルに存在する信号について、２０ＭＨｚのプライマリチャネルのＣＣＡおよび１以上のセカンダリチャネルのＣＣＡを、ビジー状態にしておくこともできる。
【００７４】
ＨＴ―ＧＦフォーマットのＰＰＤＵの受信をサポートしていないレシーバは、第１のセカンダリチャネルがアイドルの場合には、受信レベルが−７２ｄＢｍ以上のプライマリチャネルで有効なＨＴ−ＧＦ信号について、ＣＣＡ信号をビジー状態に維持することができる（例えばＰＨＹ  ＣＣＡ  ＢＵＳＹステータスに設定することができる）。ＨＴ―ＧＦフォーマットのＰＰＤＵの受信をサポートしていないレシーバは、受信レベルが−６９ｄＢｍ以上のプライマリチャネルおよび第１のセカンダリチャネルで有効な４０ＭＨｚのＨＴ−ＧＦ信号のために、２０ＭＨｚのプライマリチャネルのＣＣＡ、および、２０ＭＨｚのセカンダリチャネルのＣＣＡをビジー状態にしておくことができる。ＨＴ―ＧＦフォーマットのＰＰＤＵの受信をサポートしていないレシーバは、第１のセカンダリチャネルがアイドルの場合には、受信レベルが−７２ｄＢｍ以上のプライマリチャネルで有効なＨＴ−ＧＦ信号のために、ＣＣＡをビジー状態にしておくことができる。ＨＴ―ＧＦフォーマットのＰＰＤＵの受信をサポートしていないレシーバは、受信レベルが−６９ｄＢｍ以上のプライマリチャネルおよび第１のセカンダリチャネル両方で有効な全ての４０ＭＨｚのＨＴ−ＧＦ信号のために、２０ＭＨｚのプライマリチャネルのＣＣＡ、および、２０ＭＨｚのセカンダリチャネルのＣＣＡをビジー状態にしておくことができる。
【００７５】
図１０は、重なっているチャネライゼーションレイアウトの一例を示す。１以上の無線通信システムが利用するチャネルのレイアウト１００５には、８０ＭＨｚのワイドバンドチャネル（例えばチャネルＡ、Ｂ、Ｃ、およびＣ）および１６０ＭＨｚのワイドバンドチャネル（例えばチャネルＥ、Ｆ、およびＧ）が含まれてよい。８０ＭＨｚ幅のチャネルは、互いに重ならない。チャネルＥはチャネルＡおよびＢと重なる。チャネルＦは、チャネルＣおよびＤと重なる。チャネルＧは、チャネルＥおよびＦと重なる。８０ＭＨｚのワイドバンドチャネルは、１つの２０ＭＨｚのプライマリサブチャネルをと、複数のセカンダリサブチャネルとを含んでよい。１６０ＭＨｚのワイドバンドチャネルは、１つの２０ＭＨｚのプライマリサブチャネルと、複数のセカンダリサブチャネルとを含むことができる。ビーコンはプライマリサブチャネルで送信される。ＡＰがＢＳＳを構築するとき、ＡＰは、ＯＢＳＳのセカンダリチャネルをＡＰのプライマリチャネルとして利用しないよう要請されることがある。ＡＰがＢＳＳを構築するとき、ＡＰは、ＯＢＳＳのプライマリチャネルまたは２０ＭＨｚだけのチャネルを、ＡＰのセカンダリチャネルとして利用しないよう要請されることがある。
【００７６】
ＯＢＳＳがチャネルＥおよびチャネルＦに存在しており、これらの関連するプライマリチャネルが、チャネルＧに存在している場合には、新たなＢＳＳをチャネルＧに構築しなくてよい。しかし、Ｇに関連するＢＳＳを制御するＡＰは、ＯＢＳＳのプライマリチャネルの１つを、自身のプライマリチャネルとして選択してよい。ＢＳＳ  ＧのＡＰは、ＡＰ自身のプライマリチャネルがＡＩＦＳとバックオフとを足し合わせた期間の間アイドルとなり、対応するセカンダリチャネルが少なくとも同じ期間アイドルになった後に限り、他のプライマリチャネルに対応するセカンダリチャネルにアクセスすることができる。
【００７７】
ＯＢＳＳがチャネルＥおよびチャネルＦに存在しており、チャネルＧのサブチャネル全てがＯＢＳＳ  ＥおよびＦのセカンダリチャネルとして占有されている場合、新たなＢＳＳをチャネルＧに構築できない。しかし、チャネルＧのプライマリチャネルを選択する前に、ＡＰはチャネルＧ、Ｅ、およびＦをスキャンして、ＯＢＳＳ情報を収集することで、ＡＰのプライマリチャネルがＯＢＳＳのセカンダリチャネルに重複しないようにすることができる。
【００７８】
チャネルＦが存在しない場合、ＡＰがチャネルＥおよびＧをスキャンして、ＯＢＳＳ情報を収集して、プライマリチャネルおよびセカンダリチャネルを選択することができる。一部の実装例では、ＡＰがチャネルＧをスキャンしても、ＯＢＳＳのプライマリチャネルがチャネルＢになかった場合には、チャネルＣのプライマリチャネルを選択する。
【００７９】
幾つかの実施形態を上述したが、数多くの変形例もまた可能である。開示した主題は、本明細書に記載した機能動作を含め、電子回路、コンピュータハードウェア、ファームウェア、ソフトウェア、またはこれらの組み合わせに実装することができる。これらには、本明細書で開示した構造上の手段、およびこれらの構造的な均等物（１以上のデータ処理装置に、記載した処理（メモリデバイス、格納デバイス、機械可読格納基板、その他の物理的な機械可読媒体、またはこれらの１以上の組み合わせ等のコンピュータ可読媒体に符号化されたプログラム等）を実行させるプログラムを潜在的に含む）が含まれる。
【００８０】
「データ処理装置」という用語は、プログラマブルプロセッサ、コンピュータ、または複数のプロセッサまたはコンピュータを例として含むデータを処理する全ての装置、デバイス、および機械を含む。装置には、ハードウェアに加えて、対象であるコンピュータプログラムの実行環境を作成するコード（例えば、プロセッサファームウェア、プロトコルスタック、データベース管理システム、オペレーティングシステム、またはこれらの１以上の組み合わせ）が含まれうる。
【００８１】
プログラム（コンピュータプログラム、ソフトウェア、ソフトウェアアプリケーション、スクリプト、またはコード）は、コンパイルされた、または解釈された言語、宣言型言語またはプロシージャ言語等の任意の形態で記載されていてよく、任意の形態での配置（独立型プログラムまたはモジュール、または、モジュール、コンポーネント、サブルーチン、またはコンピューティング環境での利用に適したその他のユニット）が可能である。プログラムは必ずしも、ファイルシステムのファイルに対応していなくてもよい。プログラムは、他のプログラムまたはデータ（例えば、マークアップ言語文書に格納されている１以上のスクリプト）を保持しているファイルの一部に格納されてもよいし、対象のプログラム専用の単一のファイルに格納されてもよいし、複数の調節されたファイル（例えば、１以上のモジュール、サブプログラム、またはコードの部分）に格納されてもよい。プログラムは、１つのコンピュータ上で実行されてもよいし、１つのサイトに配置されてもよいし、または複数のサイトにまたがり分散されて通信ネットワークにより相互接続されてもよい複数のコンピュータで実行されてもよい。
【００８２】
本明細書は、数多くの詳細を含んでいるが、これらは請求可能な範囲の限定として捉えられるべきではなく、特定の実施形態に固有でありうる特徴の説明として捉えられるべきである。本明細書で、別個の実施形態で説明した特徴のなかに、単一の実施形態で組み合わせて実装できるものがある。逆に、単一の実施形態で説明した様々な特徴を、複数の実施形態で別々に実施することもでき、適切なサブコンビネーションとして実施することもできる。さらに、特徴は、一定の組み合わせにおいて機能すると記載した場合であっても、また最初はそう請求した場合であっても、請求されている組み合わせにおける１以上の特徴を、場合によっては、この組み合わせから外して、請求されている組み合わせを、サブコンビネーションのサブコンビネーションまたは変形例とすることができる。
【００８３】
同様に、処理が図面では特定の順序で描かれているからといって、これは、これら処理が示されている連番で実行しなければならないこととして捉えられるべきではなく、または、示されている全ての処理が所望の結果を生じるために必要であるというわけでもない。状況によっては、処理をマルチタスク処理したり並列処理したりすることが望ましい場合もある。さらに、実施形態において、切り離されているものとして記載された様々なシステムコンポーネントが、全ての実施形態において切り離されていなければならない、というわけではない。
【００８４】
他の実施形態も、以下の請求項の範囲内に含まれる。
【図１】
2013511221.tif 000006
【図２】
2013511221.tif 000007
【図３】
2013511221.tif 000008
【図４】
2013511221.tif 000009
【図５Ａ】
2013511221.tif 000010
【図５Ｂ】
2013511221.tif 000011
【図５Ｃ】
2013511221.tif 000012
【図５Ｄ】
2013511221.tif 000013
【図６】
2013511221.tif 000014
【図７Ａ】
2013511221.tif 000015
【図７Ｂ】
2013511221.tif 000016
【図８】
2013511221.tif 000017
【図９】
2013511221.tif 000018
【図１０】
2013511221.tif 000019
【国際調査報告】
2013511221.tif 000020
2013511221.tif 000021